(57)【要約】【課題】自動原稿搬送装置のコストを抑えながら、特定の条件が揃っている場合には小サイズの原稿であっても自動搬送できるようにする。【解決手段】画像形成装置１５０のＣＰＵ３００は、原稿トレイに原稿がセットされると（Ｓ１０００にてＹＥＳ）、スキャンモード、原稿の厚み及び画質を設定する入力画面を表示パネルに表示するステップ（Ｓ１０１０）と、設定入力されると（Ｓ１０５０にてＹＥＳ）、確認画面を表示パネルに表示するステップ（Ｓ１０６０）と、スタートボタンが押下されると（Ｓ１０８０にてＹＥＳ）、スキャンモード、原稿の厚み及び画質に基づいて短尺ジャムしきい値ＬＴＨを算出するステップ（Ｓ１０９０）と、原稿の搬送方向長さＬを検出するステップ（Ｓ１１２０）と、Ｌ≧ＬＴＨであると（Ｓ１１３０にてＹＥＳ）、処理を継続するステップ（Ｓ１１４０）とを含む、プログラムを実行する。【選択図】図１１
2010265044.tif 000002
【特許請求の範囲】
【請求項１】
画像読取部に原稿を搬送する自動原稿搬送装置であって、
原稿を搬送するために前記原稿の搬送方向に沿って設けられた複数のローラと、
前記ローラ間の距離に基づいて設定された、自動搬送可能な原稿の搬送方向しきい値を記憶するための記憶手段と、
搬送される原稿についての搬送条件を設定するための設定手段と、
前記搬送条件に基づいて、前記搬送方向しきい値よりも搬送方向長さが短い原稿を自動搬送可能と判定するための判定手段と、
前記判定された結果に基づいて、前記原稿を搬送するために前記ローラを制御するための制御手段とを含む、自動原稿搬送装置。
【請求項２】
前記自動原稿搬送装置は、原稿搬送中に原稿の搬送方向長さを検出するための検出手段をさらに含み、
前記判定手段は、
前記搬送条件に基づいて前記搬送方向しきい値を補正しきい値に補正するための手段と、
補正されたしきい値よりも、検出された搬送方向長さが長いと、前記原稿を自動搬送可能と判定するための手段とを含む、請求項１に記載の自動原稿搬送装置。
【請求項３】
前記設定手段は、ユーザから入力された情報に基づいて、前記搬送条件を設定するための手段を含む、請求項１又は請求項２に記載の自動原稿搬送装置。
【請求項４】
前記自動原稿搬送装置は、前記搬送方向しきい値よりも搬送方向長さが短い特定の大きさの原稿を搬送前に検出するための原稿検出手段をさらに含み、
前記判定手段は、前記搬送条件に基づいて前記搬送方向しきい値を補正しきい値に補正するための手段を含み、
補正されたしきい値が、前記特定の大きさの原稿における搬送方向長さよりも短くなるように、前記搬送条件が設定される、請求項１に記載の自動原稿搬送装置。
【請求項５】
前記原稿検出手段は、ユーザから入力された情報に基づいて、前記特定の大きさの原稿を検出するための手段を含む、請求項４に記載の自動原稿搬送装置。
【請求項６】
前記原稿検出手段は、原稿トレイに載置された原稿の大きさを検出することにより、前記特定の大きさの原稿を検出するための手段を含む、請求項４に記載の自動原稿搬送装置。
【請求項７】
前記原稿は名刺である、請求項４〜請求項６のいずれかに記載の自動原稿搬送装置。
【請求項８】
前記制御手段は、前記判定手段により自動搬送できないと判定されると、前記原稿を取出しやすい位置で停止させるように制御するための手段を含む、請求項１〜請求項７のいずれかに記載の自動原稿搬送装置。
【請求項９】
前記自動原稿搬送装置は、原稿を反転させて搬送する反転搬送路を備える場合があり、
前記記憶手段は、前記反転搬送路を含む原稿の搬送路におけるローラ間の距離に基づいて設定された、自動搬送可能な原稿の搬送方向しきい値を記憶するための手段を含む、請求項１〜請求項８のいずれかに記載の自動原稿搬送装置。
【請求項１０】
前記搬送条件は、前記原稿の厚みである、請求項１〜請求項９のいずれかに記載の自動原稿搬送装置。
【請求項１１】
前記搬送条件は、前記原稿の搬送速度である、請求項１〜請求項９のいずれかに記載の自動原稿搬送装置。
【請求項１２】
前記原稿の搬送速度は、求められる画質により変化する、請求項１１に記載の自動原稿搬送装置。
【請求項１３】
請求項１〜請求項１２のいずれかに記載の自動原稿搬送装置を備えた、画像形成装置。
【発明の詳細な説明】
【技術分野】
【０００１】
本発明は、電子写真方式等により記録媒体（代表的には記録用紙）に画像を形成する画像形成装置等に原稿を自動で送り込んで排出する自動原稿搬送装置に関し、特に、名刺等の短尺原稿（搬送方向の長さが、搬送ローラ間距離に基づいて設定された標準しきい値よりも短い原稿）であっても、できる限り自動で原稿を搬送することができる自動原稿搬送装置に関する。また、本発明は、このような自動原稿搬送装置を備えた画像形成装置にも関係がある。
【背景技術】
【０００２】
従来から、複数枚の原稿を１ページ目から順に所定の画像読取り位置へ搬送し、画像の読取りが終了した原稿をページ順に排出する自動原稿搬送装置が、複写機（コピー機）、ファクシミリ装置及びスキャナ装置等に備えられることがある。また、このような自動原稿搬送装置を備える複写機等の設置スペースを最小限に抑えるために、コンパクトな自動原稿搬送装置が求められている。これらの要望に応えるために、原稿トレイと原稿排紙トレイとを上下に配置するウイングレスタイプ等と呼ばれる自動原稿搬送装置が提案されている。
【０００３】
このような自動原稿搬送装置が複写機等の画像形成装置に備えられる場合、自動原稿搬送装置により原稿を原稿読取部へ送り込む動作速度が、複写機における連続コピーの動作スピードに追従できなければ、画像形成装置の能力を１００％発揮することができない。このため、このような自動原稿搬送装置による原稿の送り込み動作速度を速くすることが重要である。
【０００４】
なお、このような自動原稿搬送装置を備えた画像形成装置における原稿の読取り方法は、２つのタイプに大別されることがある。自動原稿搬送装置により、コンタクトガラス上に原稿を送り込んで、原稿を静止させた状態でスキャナ部を走査させて原稿を読取り、走査が終わると原稿を排出するタイプと、自動原稿搬送装置により原稿を搬送しながら静止したスキャナ部（上述のスキャナ部と同じものであっても異なるものであっても構わない。）で原稿を読取るタイプとである。前者のタイプにおいては、自動原稿搬送装置による原稿搬送速度は画質に関係しないが（スキャナ部の走査速度は画質に関係があるが）、後者のタイプにおいては、原稿搬送速度は画質に関係する。後者のタイプにおいては、高画質が求められる場合には原稿搬送速度を高速にできない場合がある。本発明は、主として、後者のタイプの自動原稿搬送装置に関係する。
【０００５】
さらに、このような自動原稿搬送装置においては、搬送ローラ対に原稿を挟んでローラを回転させて次の搬送ローラ対へ原稿を送る。このため、搬送ローラ対と搬送ローラ対との間隔により、自動搬送できる原稿の搬送方向の長さが決定される。搬送ローラ対を多く配置して搬送ローラ対と搬送ローラ対との間隔を狭くすると搬送方向の長さが短い原稿であっても自動搬送できるが、自動原稿搬送装置のコストが上昇する。自動原稿搬送装置のコストを抑えるために搬送ローラ対を少なくすると、搬送ローラ対と搬送ローラ対との間隔が長くなり、搬送方向の長さが短い原稿が自動搬送できなくなる。
【０００６】
このような自動原稿搬送装置に関連して、以下に示す公知技術がある。特開２００２−２４４３６１号公報（特許文献１）は、画像読取りを効率よく行なえるように迅速に原稿を搬送することができる自動原稿搬送装置を開示する。この自動原稿搬送装置は、原稿を載置する原稿載置台と、原稿載置台に載置された原稿を所定の画像読取り位置に向けて一定の間隔を保って順次送り出す原稿送り機構と、画像の読込みが終了した原稿を画像読取り位置から搬出する原稿搬送機構と、原稿搬送機構により搬出された原稿の表裏を反転させる反転機構と、画像が読取られた原稿を積載収容する原稿排出台と、反転機構にて反転された原稿を原稿排出台に排出する排出機構とを有する。この自動原稿搬送装置において、原稿送り機構と画像読取り位置との間の原稿搬送距離をＬ１、画像読取り位置と反転機構との間の原稿搬送距離をＬ２、搬送方向における原稿長さをＬｐとした場合に、Ｌ２＞Ｌ１＋２×Ｌｐという関係が成立することを特徴とする。特に、この自動原稿搬送装置は、搬送可能な最大サイズの半分以下の原稿長さとなる小サイズ原稿を搬送する場合に好適である。
【０００７】
この自動原稿搬送装置においては、画像読取り後の原稿を排出トレイ上に排出して積載する際に原稿のページ順が逆にならないようにするため、画像読取りが終了した原稿の表裏を偶数回だけ反転（奇数回だけスイッチバック）させてから原稿を排出するようにしている。この場合において、原稿搬送距離Ｌ１、原稿搬送距離Ｌ２及び原稿長さＬｐの間に、Ｌ２＞Ｌ１＋２×Ｌｐという関係が成立するような配置により、原稿の搬送間隔を短くすることができる。このため、原稿の搬送速度を上昇させることなく、画像読取りを効率よく行なえるように迅速に原稿を搬送することができる。特に、搬送可能な最大サイズの半分以下の原稿長さとなる小サイズ原稿を搬送する場合に、このような関係が成立するような配置により、自動原稿搬送装置の幅方向の大きさをできる限り小さくしつつ、迅速に画像の読取りを行なえるように、原稿を搬送することができる。
【０００８】
また、特開２００１−１３９１６９号公報（特許文献２）は、原稿が小サイズであるときの搬送精度の低下を防止するとともに不要な高速搬送を回避し騒音を低減可能な自動原稿搬送装置を開示する。この自動原稿搬送装置は、原稿載置機構上に積載された原稿を検知し１枚毎に分離して画像読取部へ給紙する給紙部と、給紙部から給紙された原稿を画像読取部へ停止させ画像の読取後に再搬送し排紙する搬送排紙部と、搬送排紙部及び給紙部を駆動制御するとともに、速度の異なる２以上の原稿搬送速度を設定することによりこれらを任意に切換え可能な制御部とを備える。この制御部は、給紙部より送られる検知信号に基づいて原稿サイズを検出するとともに、検出された原稿サイズが特定のサイズであるとき、遅い方の搬送速度により連続給紙させることを特徴とする。
【０００９】
この自動原稿搬送装置によると、制御部が、給紙部より送られる検知信号に基づいて原稿サイズを検出するとともに、検出された原稿サイズが特定のサイズであるとき（所定サイズ以下であるとき）、遅い方の搬送速度により連続的に給紙する、このようにすると、分離及び搬送時にスキューの発生する可能性の高い特定のサイズについて、遅い方の搬送速度を設定することになるので、搬送精度を向上させることができる。すなわち、この自動原稿搬送装置は、原稿サイズが所定サイズ以下である場合には、搬送速度を遅くしてスキュー等の発生を抑制する。
【００１０】
さらに、特開平１１−８４７５６号公報（特許文献３）は、小サイズの原稿の場合にも処理速度の低下を防ぐことができる自動原稿搬送装置を開示する。この自動原稿搬送装置は、原稿を載置する原稿載置機構と、原稿載置機構にセットされた原稿を給送する原稿給送機構と、原稿給送機構によって給送された原稿を透明板上に案内する原稿搬入路と、原稿搬入路に配設され原稿給送機構によって搬送された原稿を一時停止するとともに停止した原稿を透明板上に向けて搬送するレジストローラ対と、レジストローラ対によって搬送された原稿を透明板上の原稿露光位置に搬送する原稿搬送機構と、透明板上に搬送された原稿の表裏を反転し原稿搬入路を通して透明板上に搬送する原稿反転機構と、透明板上の原稿露光位置において露光処理を終了した原稿を排出する原稿排出機構と、原稿給送機構とレジストローラ対と原稿搬送機構と原稿反転機構及び原稿排出機構を制御する制御部と、原稿載置機構から透明板上の原稿露光位置に搬送される原稿のサイズを検出する原稿サイズ検出機構を備える。この制御部は、透明板上の原稿露光位置で露光処理が終了した原稿を排出するとともにレジストローラ対まで搬送されている原稿を透明板に向けて搬送する原稿交換時には、原稿サイズ検出機構からの検出信号に基づいて、原稿が所定値より大きい場合は原稿搬送機構とレジストローラ対を第１の搬送速度で作動し、原稿が所定値以下の場合は原稿搬送機構を第１の搬送速度より速い第２の搬送速度で作動して露光処理が終了した原稿を所定量搬送した後、原稿搬送機構とレジストローラ対を第１の搬送速度で作動せしめることを特徴とする。
【００１１】
この自動原稿搬送装置は、透明板上の原稿露光位置で露光処理が終了した原稿を排出するとともにレジストローラ対まで搬送されている原稿を透明板に向けて搬送する原稿交換時には、原稿サイズ検出機構からの検出信号に基づいて、搬送速度を変更する。原稿が所定値より大きい場合は原稿搬送機構とレジストローラ対を第１の搬送速度で作動し、原稿が所定値以下の場合は原稿搬送機構を第１の搬送速度より速い第２の搬送速度で作動して露光処理が終了した原稿を所定量搬送した後、原稿搬送機構とレジストローラ対を第１の搬送速度で作動させる。このため、透明板上に搬送された次の原稿の反転給紙が行なわれても戻されることはなく、確実に排出できる。しかも、透明板上から所定量前送りされる前の原稿の第２の搬送速度は一次給紙されてる次の原稿を透明板に向けて搬送する第１の搬送速度より速く設定されているので、処理速度の低下を防ぐことができる。
【先行技術文献】
【特許文献】
【００１２】
【特許文献１】特開２００２−２４４３６１号公報
【特許文献２】特開２００１−１３９１６９号公報
【特許文献３】特開平１１−８４７５６号公報
【発明の概要】
【発明が解決しようとする課題】
【００１３】
上述した公知技術は、いずれも画像形成装置に設けられ、原稿を自動で原稿読取部まで搬送する装置に関するものであって、かつ、小サイズの原稿の取扱いに関連する。上述したように、搬送方向の長さが短い原稿は、自動搬送することに適していない。基本的には、搬送ローラ対と搬送ローラ対との間隔の最大値に安全率を見込んで自動搬送可能な原稿のサイズが決定される。上述した公知技術は、このように自動搬送できると決定された小サイズの原稿を好適に搬送する自動原稿搬送装置を開示している。
【００１４】
このように予め自動搬送できると決定された小サイズの原稿を好適に搬送することも重要であるが、搬送ローラ対の数をあまり多くしないで（コストを上昇させないで）、搬送方向の長さが短い原稿であってもできるだけ自動搬送できるようにすることも重要である。
【００１５】
しかしながら、上述した公知技術は、このような観点で自動原稿搬送装置を開発したものではない。すなわち、特定の条件が揃った場合には搬送可能である小サイズの原稿であるにも関わらず、一律に搬送不可としてしまうため、自動搬送できる原稿のサイズの範囲を狭めている可能性がある。
【００１６】
したがって、本発明は、自動原稿搬送装置のコストを抑えながら、特定の条件が揃っている場合には小サイズの原稿であっても自動搬送可能と判定することにより、自動搬送できる原稿のサイズを広げることができる、自動原稿搬送装置及びその自動原稿搬送装置を備えた画像形成装置を提供することを目的とするものである。
【課題を解決するための手段】
【００１７】
本発明のある局面に係る自動原稿搬送装置は、画像読取部に原稿を搬送する自動原稿搬送装置である。この自動原稿搬送装置は、原稿を搬送するために原稿の搬送方向に沿って設けられた複数のローラと、ローラ間の距離に基づいて設定された、自動搬送可能な原稿の搬送方向しきい値を記憶するための記憶手段と、搬送される原稿についての搬送条件を設定するための設定手段と、搬送条件に基づいて、搬送方向しきい値よりも搬送方向長さが短い原稿を自動搬送可能と判定するための判定手段と、判定された結果に基づいて、原稿を搬送するためにローラを制御するための制御手段とを含む。
【００１８】
この自動原稿搬送装置によると、原稿を搬送する場合の搬送条件が特定の条件が揃っている場合には、ローラ間距離に基づいて設定された搬送方向しきい値よりも搬送方向長さが短い小サイズの原稿（名刺等）であっても自動搬送可能と判定することができる。これにより、原稿を搬送するローラの数を増やすことなく自動原稿搬送装置のコストを抑えながら、自動搬送できる原稿のサイズを広げることができる、自動原稿搬送装置を提供することができる。
【００１９】
自動原稿搬送装置は、原稿搬送中に原稿の搬送方向長さを検出するための検出手段をさらに含むように構成することができる。この場合において、判定手段は、搬送条件に基づいて搬送方向しきい値を補正しきい値に補正するための手段と、補正されたしきい値よりも、検出された搬送方向長さが長いと、原稿を自動搬送可能と判定するための手段とを含むように構成することができる。
【００２０】
この自動原稿搬送装置によると、原稿の搬送中に原稿の搬送方向長さを検出して、搬送条件に基づいて補正されたしきい値よりも検出された搬送方向長さが長いと、原稿を自動搬送可能と判定することができる。
【００２１】
設定手段は、ユーザから入力された情報に基づいて、搬送条件を設定するための手段を含むように構成することができる。
【００２２】
搬送条件の中で搬送速度については画質に影響を及ぼす場合が多い。このため、例えば、ユーザから入力された画質についての情報に基づいて搬送速度を変更して、小サイズの原稿を自動搬送できるようになる。
【００２３】
自動原稿搬送装置は、搬送方向しきい値よりも搬送方向長さが短い特定の大きさの原稿を搬送前に検出するための原稿検出手段をさらに含むように構成することができる。この場合において、判定手段は、搬送条件に基づいて搬送方向しきい値を補正しきい値に補正するための手段を含むように構成することができる。補正されたしきい値が、特定の大きさの原稿における搬送方向長さよりも短くなるように、搬送条件が設定されるように構成することができる。
【００２４】
特定の大きさの原稿が検出された場合には、補正されたしきい値が、この特定の大きさの原稿における搬送方向長さよりも短くなるように、搬送条件が設定される。このようにすると、特定の大きさの原稿が自動搬送できるように搬送条件が変更されて、この特定の大きさの原稿が自動搬送できるようになる。
【００２５】
原稿検出手段は、ユーザから入力された情報に基づいて、特定の大きさの原稿を検出するための手段を含むように構成することができる。
【００２６】
例えば、ユーザが名刺読込みモードを選択するように入力すると、特定の大きさの原稿は名刺であることを検出することができる。
【００２７】
原稿検出手段は、原稿トレイに載置された原稿の大きさを検出することにより、特定の大きさの原稿を検出するための手段を含むように構成することができる。
【００２８】
例えば、原稿トレイに設けられたセンサにより原稿の大きさを検出して、特定の大きさの原稿は名刺であることを検出することができる。
【００２９】
制御手段は、判定手段により自動搬送できないと判定されると、原稿を取出しやすい位置で停止させるように制御するための手段を含むように構成することができる。
【００３０】
搬送中に自動搬送できないと判定された場合には、原稿を取出しやすい位置で停止させるので、容易に原稿を取出すことができる。このため、ユーザが行なう復帰作業の負荷を低減することができる。
【００３１】
自動原稿搬送装置は、原稿を反転させて搬送する反転搬送路を備える場合には、記憶手段は、反転搬送路を含む原稿の搬送路におけるローラ間の距離に基づいて設定された、自動搬送可能な原稿の搬送方向しきい値を記憶するための手段を含むように構成することができる。
【００３２】
原稿の第１面（表面）及び第２面（裏面）を読取る場合には、自動原稿搬送装置に反転搬送路が設けられる。このような反転搬送路が設けられる場合であっても、この搬送反転路におけるローラ間の距離に基づいて設定された搬送方向しきい値が記憶される。このため、このような反転搬送路を備えた自動原稿搬送装置において、自動搬送できる原稿のサイズを広げることができる。
【００３３】
搬送条件は、原稿の厚みであるように構成することができる。さらに、搬送条件は、原稿の搬送速度であるように構成することができる。なお、原稿の搬送速度は、求められる画質により変化するように構成することができる。
【００３４】
原稿の厚みが薄いと、ジャムが発生した場合に原稿のダメージが大きく、復帰が困難である場合が想定できるので、原稿の厚みを搬送条件として自動搬送可能な原稿の大きさを決定する。原稿の搬送速度が速いと、ローラ間の距離が長くても惰性で搬送できる場合が想定できるので、原稿の搬送速度を搬送条件として自動搬送可能な原稿の大きさを決定する。この場合において、搬送速度はユーザにより求められる画質により変化する。このような、原稿の厚み及び／又は原稿の搬送速度（求められる画質）に応じて、自動搬送できる原稿のサイズを広げることができる。
【００３５】
本発明の別の局面に係る画像形成装置は、上述したいずれかに記載の自動原稿搬送装置を備えるものである。
【００３６】
この画像形成装置によると、上述した自動原稿搬送装置を備えたため、原稿を搬送する場合の搬送条件に特定の条件が揃っている場合には、ローラ間距離に基づいて設定された搬送方向しきい値よりも搬送方向長さが短い小サイズの原稿（名刺等）であっても自動搬送可能と判定することができる。これにより、原稿を搬送するローラの数を増やすことなく自動原稿搬送装置のコストを抑えながら、自動搬送できる原稿のサイズを広げることができる、画像形成装置を提供することができる。
【発明の効果】
【００３７】
本発明によると、原稿搬送についての特定の条件が揃っている場合には小サイズの原稿（名刺等）であっても自動搬送可能と判定することができる。これにより、原稿を搬送するローラの数を増やすことなく自動原稿搬送装置のコストを抑えながら、自動搬送できる原稿のサイズを広げることができる、自動原稿搬送装置及びその自動原稿搬送装置を備えた画像形成装置を提供することができる。
【図面の簡単な説明】
【００３８】
【図１】本発明の第１の実施の形態に係る画像形成装置の外観を示す斜視図である。
【図２】図１に示す画像形成装置の内部構成を簡略化して示す図である。
【図３】図１に示す画像形成装置の画像読取部における自動原稿搬送装置の内部構成を簡略化して示す図である。
【図４】図３に示す自動原稿搬送装置による片面スキャンモード時の動作を説明するための図である。
【図５】図３に示す自動原稿搬送装置による両面スキャンモード時の動作を説明するための図である。
【図６】図３に示す自動原稿搬送装置における原稿の搬送方向の長さを検出する動作を説明するための図である。
【図７】図３に示す自動原稿搬送装置における短尺ジャム原稿の停止位置を説明するための図である。
【図８】図３に示す自動原稿搬送装置における搬送ローラ間距離を説明するための図である。
【図９】図１に示す画像形成装置のハードウェア構成を示す機能ブロック図である。
【図１０】本発明の第１の実施の形態に係る画像形成装置で記憶される短尺ジャムについてのしきい値管理テーブルの構造を示す図である。
【図１１】本発明の第１の実施の形態に係る画像形成装置で実行される自動原稿搬送処理プログラムの制御構造を示すフローチャートである。
【図１２】本発明の第２の実施の形態に係る画像形成装置で実行される自動原稿搬送処理プログラムの制御構造を示すフローチャートである。
【図１３】本発明の第３の実施の形態に係る画像形成装置で実行される自動原稿搬送処理プログラムの制御構造を示すフローチャートである。
【発明を実施するための形態】
【００３９】
本発明の実施の形態に係る自動原稿搬送装置及びその自動原稿搬送装置を備えた画像形成装置について説明する。以下の説明においては、同一の部品には同一の参照番号を付してある。それらの機能及び名称も同一である。したがって、それらについての詳細な説明は繰返さない。なお、本実施の形態においては、電子写真方式の画像形成装置（複合機）について説明するが、本発明はこれに限定されず、本発明の実施の形態に係る自動原稿搬送装置が備えられるのは、複写機（コピー機）、ファクシミリ装置及びスキャナ装置のいずれであっても構わない。
【００４０】
−第１の実施の形態−
［画像形成装置］
図１は、画像形成装置１５０の外観構成を示す図である。図２は、画像形成装置１５０の内部構成を簡略化して示す図である。図３は、画像形成装置１５０の画像読取部１５２における自動原稿搬送装置１５３の内部構成を簡略化して示す図であって、図４〜図８は自動原稿搬送装置１５３における原稿の搬送状態を簡略化して示す図である。図９は、画像形成装置１５０の機能ブロック図である。
【００４１】
図１及び図２を参照して、画像形成装置１５０は、原稿読取部１５２、画像形成部１５４、給紙部１５６、及び排紙処理装置１５８を備える。原稿読取部１５２は、自動原稿搬送装置１５３を備える。
【００４２】
以下において、コピーモードでの動作説明を行なうことによって、画像形成装置１５０の内部構成の説明とする。
【００４３】
画像形成装置１５０においては、原稿載置台に置かれた原稿が原稿読取部１５２により画像データとして読取られ、読取られた画像データが図９に示すマイクロコンピュータ等から構成されるＣＰＵ（Ｃｅｎｔｒａｌ  Ｐｒｏｃｅｓｓｉｎｇ  Ｕｎｉｔ）３００に入力され、ここで画像データに各種の画像処理が施され、この画像データが画像形成部１５４へと出力される。
【００４４】
原稿が原稿読取部１５２により読取られる場合には、ユーザにより原稿が原稿載置台に置かれて原稿が静止した状態で原稿読取部１５２により読取られる場合と、自動原稿搬送装置１５３により自動搬送されている原稿が原稿読取部１５２により読取られる場合とがある。画像形成装置１５０の上部に設けられる原稿読取部１５２には、原稿が載置される透明ガラスからなる原稿載置台２９６（図３参照）が設けられ、原稿載置台２９６の上側には自動原稿搬送装置１５３が取り付けられている。本実施の形態に係る自動原稿搬送装置１５３は、原稿読取部１５２の原稿読取窓２９４（図３参照）の位置に原稿を自動で搬送する。この自動原稿搬送装置１５３の詳細については後述する。
【００４５】
なお、図１に示すように、自動原稿搬送装置１５３（画像読取部１５２の上部）は斜め上方へ回動自在に構成され、原稿載置台の上方を開放することにより、ユーザが原稿を手で原稿載置台に載置できるようになっている。
【００４６】
画像形成部１５４は、画像データによって示される原稿の画像を記録用紙に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、及び図示しない除電装置等を備えている。
【００４７】
画像形成部１５４には、主搬送路２３６及び反転搬送路２３８が設けられており、給紙部１５６から給紙されてきた記録用紙が主搬送路２３６に沿って搬送される。給紙部１５６は、用紙カセット２４０に収納された記録用紙、又は手差トレイ２４２に載置された記録用紙を１枚ずつ引出して記録用紙を画像形成部１５４の主搬送路２３６へと送り出す。
【００４８】
画像形成部１５４の主搬送路２３６に沿って記録用紙が搬送されている途中で、記録用紙が感光体ドラム２２２と転写装置２３０との間を通過し、更に定着装置２３４を通過して、記録用紙に対する印刷が行なわれる。
【００４９】
感光体ドラム２２２は、一方向に回転し、その表面は、クリーニング装置２３２と除電装置によりクリーニングされた後、帯電装置２２４により均一に帯電される。
【００５０】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００５１】
現像装置２２８は、トナーを感光体ドラム２２２の表面に供給して静電潜像を現像し、トナー像を感光体ドラム２２２の表面に形成する。
【００５２】
転写装置２３０は、当該転写装置２３０と感光体ドラム２２２との間を通過していく記録用紙に感光体ドラム２２２の表面のトナー像を転写する。
【００５３】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。
【００５４】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６又は排紙処理装置１５８の方へと導かれる。
【００５５】
記録用紙の両面に印刷が行なわれる場合は、分岐爪２４４が所定方向に回動されて記録用紙が反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６又は排紙処理装置１５８の方へと導かれる。
【００５６】
上記のようにして印刷された記録用紙は、排紙トレイ２４６又は排紙処理装置１５８の方へと導かれて排紙トレイ２４６に排出され、又は排紙処理装置１５８の各排紙トレイ１６８のいずれかに排出される。
【００５７】
排紙処理装置１５８では、複数の記録用紙を各排紙トレイ１６８に仕分けして排出する処理、各記録用紙にパンチングする処理、及び各記録用紙にステープルする処理を施す。例えば、複数部の印刷物を作成する場合は、各排紙トレイ１６８に印刷物の一部ずつが割り当てられるように、各記録用紙を各排紙トレイ１６８に仕分けして排出し、排紙トレイ１６８ごとに、排紙トレイ１６８上の各記録用紙にパンチング処理又はステープル処理を施して印刷物を作成する。
【００５８】
［自動原稿搬送装置］
＜自動原稿搬送装置の構成＞
図３を参照して、画像読取部１５２における自動原稿搬送装置１５３について説明する。
【００５９】
図３に示すように、自動原稿搬送装置１５３は、原稿（１枚であっても２枚以上の原稿束であっても構わない。）が載置（セット）される原稿トレイ２５２と、原稿トレイ２５２上に原稿がある否かを検出するための原稿有無センサ２５４と、駆動ローラである給紙ローラ２５６と、２枚以上の原稿束から原稿を１枚ずつ分離する駆動ローラである原稿搬送ローラ２５８とを備える。給紙ローラ２５６は、給紙時には原稿に接する位置まで下降し、給紙時以外においては上昇して待機する。
【００６０】
自動原稿搬送装置１５３は、さらに、搬送路２６６に設けられた、原稿搬送ローラ２６０（及びこれと対をなす原稿搬送ローラ２６２）と、原稿搬送ローラ２６０から送り出された原稿を検出するための原稿搬送センサ２６４とを備える。
【００６１】
自動原稿搬送装置１５３は、さらに、搬送路２８２に設けられた、駆動ローラである原稿搬送ローラ２６８（及びこれと対をなす従動ローラである原稿搬送ローラ２７０）と、原稿搬送ローラ２６８から送り出された原稿を検出するための原稿搬送センサ２７２と、原稿読取窓２９４の位置から原稿を排出する駆動ローラである原稿搬送ローラ２７４（及びこれと対をなす従動ローラである原稿搬送ローラ２７６）と、自動原稿搬送装置１５３から排出された原稿が載置される原稿排紙トレイ２９２と、原稿排紙トレイ２９２に原稿を排出するための、駆動ローラである排紙ローラ２７８（及びこれと対をなす従動ローラである排紙ローラ２８０）とを備える。
【００６２】
自動原稿搬送装置１５３は、さらに、両面原稿の第１面が読取られた後に第２面を読取るために原稿を表裏反転させて原稿読取窓２９４の位置まで搬送する反転搬送路２９０を備える。
【００６３】
自動原稿搬送装置１５３は、さらに、反転搬送路２９０に設けられた、駆動ローラである反転ローラ２８４（及びこれと対をなす従動ローラである反転ローラ２８６）と、反転ローラ２８４から送り出された原稿を検出するための原稿搬送センサ２８８とを備える。
【００６４】
このように、搬送路２６６は、原稿トレイ２５２から原稿搬送ローラ２６８の手前まで、搬送路２８２は、原稿搬送ローラ２６８から排紙ローラ２７８の手前まで、反転搬送路２９０は、反転ローラ２８４の手前から原稿搬送ローラ２６８の手前までである。
【００６５】
本実施の形態に係る自動原稿搬送装置１５３は、上述した構成により、原稿トレイ２５２に載置された原稿を、原稿読取部１５２の原稿読取窓２９４の位置まで自動で搬送して、原稿排紙トレイ２９２へ排出する。なお、原稿読取部１５２には、原稿載置台２９６が設けられ、この原稿載置台２９６にユーザにより原稿が載置される。また、図３に示す自動原稿搬送装置１５３における、搬送ローラの配置及びその駆動形態（駆動ローラと従動ローラとの組合せ）は一例であって、本発明がこのような自動原稿搬送装置１５３に限定されるものではない。特に、反転搬送路２９０を備えないものであっても構わない。
【００６６】
＜自動原稿搬送装置の動作（片面読取り時）＞
図４（Ａ）〜図４（Ｅ）は、片面読取り時の原稿４００の搬送状態を示す図である。概略的には、原稿トレイ２５２上に載置された原稿４００（又は原稿束）に対して給紙ローラ２５６が下降して、原稿束から原稿４００を１枚ずつ引き込み、読取り位置である原稿読取窓２９４へ向けて原稿４００を１枚ずつ搬送する。給紙ローラ２５６は、原稿４００を原稿排紙トレイ２９２に排出した後に、上昇する。
【００６７】
図４（Ａ）〜図４（Ｅ）に示すように、片面読み取り時においては、全てのローラが原稿４００を送込む方向の一方向にのみ回転して原稿４００を搬送する。なお、以下において、駆動ローラと従動ローラとで対をなすローラ対の回転方向については、駆動側のローラの回転方向を用いて説明する。
【００６８】
図４（Ａ）に示すように、原稿トレイ２５２に原稿４００（又は原稿束）が載置されると原稿有無センサ２５４が原稿トレイ２５２に原稿４００が有ることを検出する。この状態で、画像形成装置１５０の操作パネル１７０に設けられたスタートボタンが押下されると、図４（Ｂ）に示すように、給紙ローラ２５６が下降して、給紙ローラ２５６が時計回りに回転して、原稿搬送ローラ２５８が時計回りに回転する。これにより、原稿トレイ２５２から搬送路２６６に原稿４００が１枚ずつ引き込まれる。
【００６９】
図４（Ｃ）に示すように、原稿搬送ローラ２６０が時計回りに、原稿搬送ローラ２６８が反時計回りに回転する。これにより、搬送路２６６に引き込まれた原稿４００は、搬送路２８２へ搬送されて、原稿読取窓２９４の位置に到達する。この原稿読取窓２９４の位置に原稿４００が搬送されているとき（原稿搬送センサ２７２が原稿４００を検出してから検出しなくなるまで）に、原稿４００は一定の速度で搬送される。このように原稿４００が一定の速度で搬送されている間に、光学的機構（スキャナ部）により原稿４００が読取られる。
【００７０】
図４（Ｄ）に示すように、原稿搬送ローラ２７４が反時計回りに、排紙ローラ２７８が時計回りに回転する。これにより、搬送路２８２の原稿４００は、図４（Ｅ）に示すように、原稿排紙トレイ２９２へ排出される。このように原稿４００が原稿排紙トレイ２９２へ排出されると、給紙ローラ２５６が上昇するとともにその回転が停止して、回転していた他のローラの回転も停止する。
【００７１】
＜自動原稿搬送装置の動作（両面読取り時）＞
図５（Ａ）〜図５（Ｄ）は、両面読取り時の原稿４００の搬送状態を示す図であって、図４（Ｄ）と図４（Ｅ）との間に挿入される図である。概略的には、原稿４００の片面の読取りが終わると、スイッチバック位置に原稿４００を停止させて、排紙ローラ２７８を逆転（反時計回りに回転）させて、反転搬送路２９０へ原稿４００を送込む。原稿読取窓２９４の直前の原稿搬送ローラ２６８に原稿４００が到達すると、排紙ローラ２７８を一時停止させた後に再度逆転（時計回りに回転）させている。
【００７２】
図４（Ｃ）に示すように、原稿搬送ローラ２６０が時計回りに、原稿搬送ローラ２６８が反時計回りに回転する。これにより、搬送路２６６に引き込まれた原稿４００は、搬送路２８２へ搬送されて、原稿読取窓２９４の位置に到達する。この原稿読取窓２９４の位置において原稿４００の第１面が、光学的機構（スキャナ部）により読取られる。
【００７３】
図４（Ｄ）に示すように、原稿搬送ローラ２７４が反時計回りに、排紙ローラ２７８が時計回りに回転すると、搬送路２８２の原稿４００は、原稿排紙トレイ２９２へ排出される手前のスイッチバック位置まで搬送される。時計回りに回転していた排紙ローラ２７８が停止すると、図５（Ａ）に示すように、原稿４００は、スイッチバック位置にて停止される。
【００７４】
図５（Ｂ）に示すように、停止した排紙ローラ２７８が反時計回りに回転して、原稿排紙トレイ２９２に排出途中で停止した原稿４００が反転搬送路２９０へ引き込まれる。
【００７５】
図５（Ｃ）に示すように、反転ローラ２８４が時計回りに、原稿搬送ローラ２６８が反時計回りに回転する。これにより、反転搬送路２９０に引き込まれた原稿４００は、搬送路２８２へ再度搬送されて、原稿読取窓２９４の位置に到達する。この原稿読取窓２９４の位置において原稿４００の第２面が、光学的機構（スキャナ部）により読取られる。なお、原稿読取窓２９４の直前の原稿搬送ローラ２６８に原稿４００が到達すると、排紙ローラ２７８が一時停止される。
【００７６】
図５（Ｄ）に示すように、原稿搬送ローラ２７４が反時計回りに、一時停止していた排紙ローラ２７８が時計回りに回転する。これにより、搬送路２８２の原稿４００は、図４（Ｄ）及び図４（Ｅ）に示すように、原稿排紙トレイ２９２へ排出される。このように原稿４００が原稿排紙トレイ２９２へ排出されると、給紙ローラ２５６が上昇するとともにその回転が停止して、回転していた他のローラの回転も停止する。
【００７７】
＜原稿の搬送方向の長さの検出＞
本実施の形態に係る自動原稿搬送装置１５３においては、原稿４００の搬送途中で、原稿４００の搬送方向の長さを検出する。図６を参照して、この原稿４００の搬送方向の長さの検出について説明する。
【００７８】
図６（Ａ）に示すように、原稿搬送センサ２７２が原稿４００を検出すると原稿４００の搬送方向の長さの検出を開始して、図６（Ｂ）に示すように、原稿搬送センサ２７２が原稿４００を検出しなくなると原稿４００の搬送方向の長さの検出を終了する。すなわち、原稿搬送センサ２７２が原稿４００を検出している間に原稿４００の搬送方向の長さを測定する。この原稿４００の搬送方向の長さの測定は、例えば、以下のような手順で行なわれる。
【００７９】
原稿搬送ローラを駆動するモータとしてステッピングモータを使用して、原稿搬送センサ２７２がＯＮ（原稿４００を検出開始）してからＯＦＦ（原稿４００を検出終了）するまでの間のステッピングモータのステップ数に基づいて、原稿４００の搬送方向の長さが測定する。例えば、１ステップあたりの搬送距離が０．０４２２ｍｍのステッピングモータを使用する場合、原稿搬送センサ２７２がＯＮしてからＯＦＦするまでに、５０００ステップ分がカウントとされたとすると、５０００×０．０４２２＝２１１．０となり、原稿４００の搬送方向の長さは２１１．０ｍｍであることが検出できる。
【００８０】
なお、原稿搬送センサ２７２がＯＮしてからＯＦＦするまでの間は、原稿読取窓２９４の位置に原稿４００が搬送されているときであるので、原稿４００は一定の速度で搬送されている。このように、一定の速度で搬送されている間に原稿４００の搬送方向の長さを検出するので、精度高く原稿４００の搬送方向の長さを検出することができる。
【００８１】
＜短尺ジャム停止＞
本実施の形態に係る自動原稿搬送装置１５３においては、上述したように原稿の搬送方向の長さを検出して、その長さが規定値（短尺ジャムのしきい値）よりも短いと短尺ジャムであると判定して、原稿の自動送りを停止させる。このような短尺ジャムを判定する目的は、自動搬送することが不可能な小サイズ原稿を適切な位置にて停止させて、原稿へのダメージを軽減することである。
【００８２】
図７（Ａ）に示すように、（反転搬送路２９０ではなく）搬送路２８２に原稿４００があるときに停止すると、自動原稿搬送装置１５３（画像読取部１５２の上部）を斜め上方へ回動させて原稿載置台２９６の上方を開放することにより（原稿カバーを開くことにより）、停止させた原稿４００を確認することができる。このような位置で原稿４００を停止させることにより、原稿４００を容易に取出すことができる。容易に取出すことができることから、原稿４００にダメージを与えることなく取出すことができる。
【００８３】
図７（Ａ）に示す位置で原稿４００を停止させないで、反転搬送路２９０まで原稿４００を搬送してしまうと、図７（Ｂ）に示すように、原稿カバーを開くことによっては原稿４００を取出すことが困難な位置にはまり込んでしまう。このため、原稿４００を容易にかつダメージを与えることなく取出すことができなくなる。また、この図７（Ｂ）に示す位置で原稿を停止させると、原稿自体へ大きなダメージを与えてしまうことも想定できる（特に薄い原稿）。
【００８４】
＜短尺ジャムのしきい値＞
一般的に、自動原稿搬送装置においては、搬送路における最長ローラ間隔に基づいて、短尺ジャムのしきい値が設定されている。本実施の形態に係る自動原稿搬送装置１５３における最長ローラ間隔は、図８に示すＬ（２）である。この最長ローラ間隔Ｌ（２）は、反転搬送路２９０における反転ローラ２８４と原稿搬送ローラ２６８との間の間隔であって、例えば１１０ｍｍである。このＬ（２）（＝１１０ｍｍ）に対して、安全率を見込んで、短尺ジャムのしきい値が１２５ｍｍと設定されている。一般的な自動原稿搬送装置においては、この１２５ｍｍを下回る原稿４００は、所定の位置で停止される。
【００８５】
本実施の形態に係る自動原稿搬送装置１５３においても、最長ローラ間隔は、図８に示すＬ（２）である。一方、この最長ローラ間隔Ｌ（２）は、片面原稿の場合には関係がないのであるが、従来においては一律に最長ローラ間隔Ｌ（２）に基づいて設定された短尺ジャムのしきい値１２５ｍｍを下回る原稿４００（片面原稿であっても）は、自動搬送されていなかった。
【００８６】
本実施の形態に係る自動原稿搬送装置１５３において、片面原稿が搬送される搬送路における最長のローラ間隔は、図８に示すＬ（１）である。このローラ間隔Ｌ（１）は、搬送路２８２における原稿搬送ローラ２６８と原稿搬送ローラ２７４との間の間隔であって、例えば８０ｍｍである。このＬ（１）（＝８０ｍｍ）に対して、安全率を見込んで、片面スキャンモードの短尺ジャムのしきい値が９５ｍｍと設定されている。このため、原稿４００の搬送方向の長さが１００ｍｍの原稿は、従来の短尺ジャムしきい値１２５ｍｍを下回るものの、本実施の形態における片面スキャンモードの短尺ジャムのしきい値９５ｍｍを上回るため、自動搬送できることになる。
【００８７】
このように、本実施の形態に係る自動原稿搬送装置１５３においては、スキャンモード（両面スキャン／片面スキャン）の種類に対応させて、別々のしきい値が設定されており、従来は一律に短尺ジャムと判定されて自動搬送できなかった原稿４００であっても、できる限り自動搬送できるようになっている。
【００８８】
さらに、本実施の形態に係る自動原稿搬送装置１５３においては、このようなスキャンモード（両面スキャン／片面スキャン）に加えて、原稿の秤量（薄紙／普通紙／厚紙）及び画質（高画質／普通画質／低画質）との組合せ（これらを搬送条件と記載する。）により、短尺ジャムのしきい値を変更して、できる限り自動搬送できるようにしている点が特徴である。
【００８９】
このような特徴は、画像形成装置１５０におけるハードウェア構成（特に、自動原稿搬送装置１５３の構成）及び画像形成装置１５０（画像形成装置１５０には画像読取部１５２を含み、画像読取部１５２には自動原稿搬送装置１５３を含む。）を制御するハードウェア及びソフトウェアにより実現されている。以下、この制御を実行するための、画像形成装置１５０又は画像読取部１５２に含まれるハードウェア構成（制御ブロック図）について説明した後に、ソフトウェア構成（プログラム）について説明する。なお、以下に示す図９は、画像形成装置１５０のハードウェア構成（制御ブロック図）を例示したものであるが、制御部３１０は画像形成装置１５０の全体を制御するものであっても、画像読取部１５２を制御するものであっても、自動原稿搬送装置１５３を制御するものであっても、構わない。
【００９０】
［ハードウェアブロック］
図９を参照して、画像形成装置１５０は、画像形成処理に関する各機能の設定が可能な操作装置１６６と、ＣＰＵ３００を主たる構成とする制御部３１０と、画像読取部（スキャナ部）１５２と、画像処理部３２０と、画像記憶部３３０と、画像形成部１５４と、光学センサ部３４０（例えば、原稿有無センサ２５４、原稿搬送センサ２６４、原稿搬送センサ２７２、原稿搬送センサ２８８が光学的に原稿４００を検出する場合にはこれらのセンサが該当する。）と、モータ用のドライバ３５０及びドライバ３５２と、ドライバ３５０に接続されたプラテン原稿走査部駆動モータ３６０と、ドライバ３５２に接続された給紙ローラ上下動移動モータ３６２及び原稿搬送ローラ駆動モータ３６４とを含む。
【００９１】
原稿搬送ローラ駆動モータ３６４は、原稿搬送ローラの駆動側ローラだけではなく、給紙ローラ及び排紙ローラ並びに反転ローラの駆動側ローラをも回転させる。上述したように、原稿搬送ローラ駆動モータ３６４としては例えばステッピングモータが用いられている。
【００９２】
制御部３１０は、ＣＰＵ３００に加えて、例えば、通電が遮断された場合であってもプログラム及びデータ等を記憶可能な不揮発性記憶デバイスであるＨＤＤ（Ｈａｒｄ  Ｄｉｓｋ  Ｄｒｉｖｅ）３０２と、入出力インターフェイスであるＩ／Ｏ（Ｉｎｐｕｔ／Ｏｕｔｐｕｔ）３０４と、プログラム等を記憶するためのＲＯＭ（Ｒｅａｄ  Ｏｎｌｙ  Ｍｅｍｏｒｙ）３０６と、プログラムを実行する際の記憶領域を提供するためのＲＡＭ（Ｒａｎｄｏｍ  Ａｃｃｅｓｓ  Ｍｅｍｏｒｙ）３０８とをさらに含む。
【００９３】
制御部３１０においては、ＣＰＵ３００、ＨＤＤ３０２、Ｉ／Ｏ３０４、ＲＯＭ３０６及びＲＡＭ３０８は、図示しないバスで接続され、ＣＰＵ３００は、所定のプログラムを実行して、画像形成装置としての一般的機能を実現する。
【００９４】
ＲＯＭ３０６には、画像形成装置１５０の動作を制御するのに必要なプログラム及びデータ等が記憶されている。ＣＰＵ３００は、ＲＯＭ３０６に格納されているプログラム及びデータに従って画像形成装置１５０の制御を行なうと共に画像形成装置１５０の各機能に関する制御を実行する。
【００９５】
ＲＡＭ３０８は、ＣＰＵ３００による演算及び処理の結果を一時的に記憶するワーキングメモリとしての機能と、画像データを記憶するフレームメモリとしての機能とを提供する。
【００９６】
原稿読取部１５２、画像形成部１５４、操作装置１６６の板状の操作パネル１７０及び表示パネル１７２、並びにＲＯＭ３０６、ＨＤＤ３０２、及びＲＡＭ３０８に対する制御は、ＣＰＵ３００が所定のプログラムを実行することにより行なわれる。
【００９７】
操作装置１６６は、操作装置１６６の表面の右側の領域に配置された、テンキー、及びその他の種々の操作ボタンであるハードウェアボタンが備えられている板状の操作パネル１７０と、操作装置１６６の中央部から左側の領域に配置された、小型のタッチパネル一体型液晶表示装置から構成されている表示パネル１７２とを含む。操作パネル１７０と表示パネル１７２とは一つの筐体に保持され、操作装置１６６は全体として一体となるように構成されている。
【００９８】
この操作装置１６６においては、表示パネル１７２に、この画像形成装置１５０の状態、ジョブの処理状況（例えば処理中に発生した短尺ジャムエラーを表示）、消耗部品の交換及びメンテナンス作業の要請等が表示される。表示パネル１７２の液晶表示装置の表示領域上には選択ボタンが表示され、この選択ボタンの表示されている領域を指で押すと、タッチパネルがその押された位置を検出する。プログラム上で選択ボタンの表示位置とタッチパネルが押された位置とを照合することにより、画像形成装置１５０の機能設定及び動作指示等が行なわれる。
【００９９】
なお、図９に示すように、画像処理部３２０と外部機器との間は、画像データバス３７０で接続されるとともに、制御部３１０と外部機器との間は通信ラインで接続されている。さらに、この図９に示す制御ブロック図は、一例であって、本発明はこのような制御ブロック図に限定されるものではない。
【０１００】
［しきい値管理テーブル］
図１０に、ＨＤＤ３０２又はＲＯＭ３０６等の不揮発性記憶デバイスにて記憶される、短尺ジャムについてのしきい値管理テーブルについて説明する。なお、上述したように、本実施の形態に係る画像形成装置１５０に備えられた自動原稿搬送装置１５３においては、両面スキャンモード時の最長ローラ間隔は、図８に示すＬ（２）（＝１１０ｍｍ）であって、このＬ（２）（＝１１０ｍｍ）に対して、両面スキャンモード時の短尺ジャムのしきい値が１２５ｍｍと設定されており、片面スキャンモード時の最長ローラ間隔は、図８に示すＬ（１）（＝８０ｍｍ）であって、このＬ（１）（＝８０ｍｍ）に対して、片面スキャンモード時の短尺ジャムのしきい値が９５ｍｍと設定されている。このように設定されていることが、図１０に示すしきい値管理テーブルにおける前提である。
【０１０１】
図１０（Ａ）に示すように、短尺ジャムの標準しきい値として、片面スキャンモード時においては９５．０ｍｍが、両面スキャンモード時においては１２５．０ｍｍが記憶されている。これは、上述した前提に基づき記憶されている。このため、自動原稿搬送装置の機種が異なればローラの配置が異なりローラ間距離が異なるので、標準しきい値は異なる。
【０１０２】
図１０（Ｂ）に示すように、短尺ジャムの標準しきい値に対する係数（補正係数）が、原稿秤量（原稿４００の単位面積当たりの重さ）に対応されて記憶されている。原稿４００が薄紙の場合においては係数１．０００が、原稿４００が普通紙の場合においては係数０．９８０が、原稿４００が厚紙の場合においては係数０．９５０が記憶されている。
【０１０３】
この係数は、図１０（Ａ）の標準しきい値又は係数が既に乗算されたしきい値に乗算される。原稿４００が薄いほど係数が高くなるので、標準しきい値に乗算されて算出されるしきい値は、原稿４００が薄いほど大きくなる。これは、原稿４００が薄いほどしきい値が高く補正されて、原稿４００が短い場合において、原稿４００が厚ければ自動搬送するが薄ければ自動搬送しないことを意味する。原稿４００の厚みが薄いと、ジャムが発生した場合の原稿４００自体のダメージが大きいこと、又は／及び、ジャムからの復帰が難しいことを理由とするものである。なお、これ以外の理由であっても構わない。
【０１０４】
図１０（Ｃ）に示すように、短尺ジャムの標準しきい値に対する係数（補正係数）が、原稿４００のスキャン速度（搬送速度）に対応されて記憶されている。なお、搬送速度と画質との間には、高画質ほど低速で搬送しなければならず、低画質ほど高速で搬送できるという関係がある。すなわち、ユーザが高画質を求めると、原稿４００の搬送速度は低速に設定され、ユーザが低画質を許容すると、原稿４００の搬送速度は高速に設定されることになる。原稿４００のスキャン速度が低速（高画質）の場合においては係数１．０００が、原稿４００のスキャン速度が中速（普通画質）の場合においては係数０．９８０が、原稿４００のスキャン速度が高速（低画質）の場合においては係数０．９５０が記憶されている。
【０１０５】
この係数は、図１０（Ａ）の標準しきい値又は係数が既に乗算されたしきい値に乗算される。原稿４００のスキャン速度が高速ほど係数が低くなるので、標準しきい値に乗算されて算出されるしきい値は、原稿４００が高速でスキャンされるほど（ユーザが求める画質が低いほど）小さくなる。これは、原稿４００の搬送速度が速いほどしきい値が低く補正されて、原稿４００が短くても搬送速度が速ければ自動搬送することを意味する。原稿４００の搬送速度が速いと、搬送ローラ対と搬送ローラ対との間を惰性で搬送できることを理由とするものである。なお、これ以外の理由であっても構わない。
【０１０６】
図１０（Ｄ）に示すように、標準しきい値に、原稿秤量に対応付けされた係数及びスキャン速度に対応付けされた係数を乗算して補正された、短尺ジャムのしきい値（補正しきい値）が記憶されている。
【０１０７】
従来は、一律に最長ローラ間隔Ｌ（２）に基づいて設定された短尺ジャムのしきい値１２５ｍｍを下回る原稿４００（片面原稿であっても）は、自動搬送されていなかったのに対して、本実施の形態に係る自動原稿搬送装置１５３においては（搬送ローラ対の間は同じであっても）、搬送方向長さが８５．７ｍｍの原稿であっても自動搬送できるようになる。
【０１０８】
本実施の形態に係る自動原稿搬送装置１５３を備えた画像形成装置１５０においては、ユーザの画質等に対する要求をできる限り満足しつつ、搬送方向の長さが短い原稿４００であってもできる限り自動搬送できるように、搬送条件を変更する。以下、このような搬送条件を変更して、原稿４００をできる限り自動搬送するプログラムの制御構造について説明する。
【０１０９】
［ソフトウェア構成］
図１１は、画像形成装置１５０（又は原稿読取部１５２、自動原稿搬送装置１５３）のＣＰＵ３００（以下、単にＣＰＵ３００と記載する。）で実行される自動原稿搬送処理プログラムの制御構造を示すフローチャートである。
【０１１０】
図１１を参照して、ステップ（以下、ステップをＳと記載する。）１０００にて、ＣＰＵ３００は、自動原稿搬送装置１５３の原稿トレイ２５２に原稿４００がセットされたか否かを判定する。このとき、ＣＰＵ３００は、原稿有無センサ２５４が原稿４００を検出すると、原稿トレイ２５２に原稿４００がセットされたと判定する。原稿トレイ２５２に原稿４００がセットされたと判定されると（Ｓ１０００にてＹＥＳ）、処理はＳ１０１０へ移される。もしそうでないと（Ｓ１０００にてＮＯ）、この処理はＳ１０００へ戻されて原稿トレイ２５２に原稿４００がセットされるまで待つ。
【０１１１】
Ｓ１０１０にて、ＣＰＵ３００は、表示パネル１７２に、スキャンモード（片面／両面）、原稿の厚み（薄紙／普通紙／厚紙）、画質（高画質／普通画質／低画質）の入力画面を表示する。
【０１１２】
Ｓ１０２０にて、ＣＰＵ３００は、スキャンモード、原稿の厚み及び画質についての搬送条件を設定する入力があったか否かを判定する。このとき、ＣＰＵ３００は、表示パネル１７２に表示された、スキャンモードに対応する搬送条件の選択キーである片面キー及び両面キーのいずれか、原稿の厚みに対応する搬送条件の選択キーである薄紙キー、普通紙キー及び厚紙キーのいずれか、画質に対応する搬送条件の選択キーである高画質キー、普通画質キー及び低画質キーのいずれかが押下されると、設定入力があったと判定する。設定入力があったと判定されると（Ｓ１０２０にてＹＥＳ）、処理はＳ１０３０へ移される。もしそうでないと（Ｓ１０２０にてＮＯ）、この処理はＳ１０４０へ移される。なお、このＳ１０２０の処理においてＹＥＳと判定されるのは、片面キー及び両面キーのいずれかが押下されて、薄紙キー、普通紙キー及び厚紙キーのいずれかが押下されて、高画質キー、普通画質キー及び低画質キーのいずれかが押下された場合とするが、少なくとも１つのキーが押下されるとＳ１０２０の処理においてＹＥＳと判定しても構わない。なお、この場合においては、キーが押下されなかった搬送条件については、デフォルトの設定としても構わないし、補正しきい値が高くなるように（又は低くなるように）設定されるようにしても構わない。
【０１１３】
Ｓ１０３０にて、ＣＰＵ３００は、表示パネル１７２に確認画面を表示する。このとき、スキャンモード、原稿の厚み及び画質について、ユーザにより入力された設定（又はデフォルトの設定等）が表示される。その後、この処理はＳ１０５０へ移される。
【０１１４】
Ｓ１０４０にて、ＣＰＵ３００は、表示パネル１７２に入力画面を表示してから予め定められた時間が経過してタイムアウトになったか否かを判定する。タイムアウトになると（Ｓ１０４０にてＹＥＳ）、この処理は終了する。タイムアウトになるまでは（Ｓ１０４０にてＮＯ）、この処理はＳ１０１０へ戻されて、表示パネル１７２に入力画面を表示して、搬送条件の設定がユーザにより入力されるまで待つ。
【０１１５】
Ｓ１０５０にて、ＣＰＵ３００は、スキャンモード、原稿の厚み及び画質について入力された搬送条件を確認する入力があったか否かを判定する。このとき、ＣＰＵ３００は、表示パネル１７２に、スキャンモードについて入力された設定、原稿の厚みについて入力された設定及び画質について入力された設定を表示するとともに、「ＯＫ」キー及び「再設定」キーを表示して、「ＯＫ」キーが押下されると、確認入力があったと判定する。確認入力があったと判定されると（Ｓ１０５０にてＹＥＳ）、処理はＳ１０６０へ移される。もしそうでないと（Ｓ１０５０にてＮＯ）、この処理はＳ１０７０へ移される。
【０１１６】
Ｓ１０６０にて、ＣＰＵ３００は、表示パネル１７２に、コピー可能画面を表示する。その後、この処理はＳ１０８０へ移される。
【０１１７】
Ｓ１０７０にて、ＣＰＵ３００は、表示パネル１７２に確認画面を表示してから予め定められた時間が経過してタイムアウトになったか否かを判定する。タイムアウトになると（Ｓ１０７０にてＹＥＳ）、この処理は終了する。タイムアウトになるまでは（Ｓ１０７０にてＮＯ）、この処理はＳ１０３０へ戻されて、表示パネル１７２に確認画面を表示して、搬送条件についての設定の確認がユーザにより入力されるまで待つ。
【０１１８】
Ｓ１０８０にて、ＣＰＵ３００は、操作装置１６６にハードウェアボタンとして備えられたスタートボタンが押下されたか否かを判定する。スタートボタンが押下されたと判定されると（Ｓ１０８０にてＹＥＳ）、処理はＳ１０９０へ移される。もしそうでないと（Ｓ１０８０にてＮＯ）、この処理はＳ１１００へ移される。
【０１１９】
Ｓ１０９０にて、ＣＰＵ３００は、短尺ジャムしきい値（補正しきい値）ＬＴＨを算出する。このとき、ユーザにより入力されて確認された、スキャンモード（片面／両面）、原稿の厚み（薄紙／普通紙／厚紙）、画質（高画質＝低速／普通画質＝中速／低画質＝高速）に関する搬送条件及び図１０（Ｄ）に示すしきい値管理テーブルに基づいて、短尺ジャムのしきい値ＬＴＨを算出する。その後、この処理はＳ１１１０へ移される。
【０１２０】
Ｓ１１００にて、ＣＰＵ３００は、表示パネル１７２にコピー可能画面を表示してから予め定められた時間が経過してタイムアウトになったか否かを判定する。タイムアウトになると（Ｓ１１００にてＹＥＳ）、この処理は終了する。タイムアウトになるまでは（Ｓ１１００にてＮＯ）、この処理はＳ１０６０へ戻されて、表示パネル１７２にコピー可能画面を表示して、スタートボタンが押下されるまで待つ。
【０１２１】
Ｓ１１１０にて、ＣＰＵ３００は、給紙ローラ２５６を下降させて反時計回りに回転させるとともに、他の搬送ローラを原稿４００を送る方向に回転させる。
【０１２２】
Ｓ１１２０にて、ＣＰＵ３００は、原稿４００の搬送方向の長さＬを検出する。このとき、ＣＰＵ３００は、図６を参照して説明した手順により、原稿４００の搬送方向の長さＬを検出する。
【０１２３】
Ｓ１１３０にて、ＣＰＵ３００は、原稿４００の搬送方向の長さＬが、短尺ジャムのしきい値ＬＴＨ以上であるか否かを判定する。Ｌ≧ＬＴＨであると（Ｓ１１３０にてＹＥＳ）、処理はＳ１１４０へ移される。もしそうでないと（Ｓ１１３０にてＮＯ）、この処理はＳ１１５０へ移される。
【０１２４】
Ｓ１１４０にて、ＣＰＵ３００は、自動原稿搬送処理を継続する。Ｓ１１５０にて、ＣＰＵ３００は、自動原稿搬送処理を中止する。このとき、ＣＰＵ３００は、原稿４００を送る方向に回転させていた搬送ローラを停止させて、給紙ローラ２５６を上昇させる。また、ＣＰＵ３００は、表示パネル１７２に短尺ジャムが発生したことをエラー表示する。なお、このとき、図７（Ａ）に示す位置で原稿４００が停止される。
【０１２５】
［動作］
以上のような構造及びフローチャートに基づく、本実施の形態に係る画像形成装置１５０における自動原稿搬送装置１５３の動作について説明する。なお、以下の動作についての説明においては、原稿４００の搬送方向の長さは９０．０ｍｍであって、Ｓ１１２０においてＬ＝９０．０ｍｍと検出されるものとする。
【０１２６】
＜片面スキャンモード、普通紙、普通画質＞
この原稿４００を原稿トレイ２５２にセットして、スキャンモードが片面スキャンモードに、原稿の厚みが普通紙（普通の厚み）に、画質が普通画質に選択された場合について説明する。
【０１２７】
自動原稿搬送装置１５３の原稿トレイ２５２にこの原稿４００がセットされると（Ｓ１０００にてＹＥＳ）、表示パネル１７２に、スキャンモード（片面／両面）、原稿の厚み（薄紙／普通紙／厚紙）、画質（高画質／普通画質／低画質）の入力画面が表示される（Ｓ１０１０）。タイムアウトになるまでに（Ｓ１０４０にてＮＯ）、スキャンモードが片面スキャンモードに、原稿の厚みが普通紙（普通の厚み）に、画質が普通画質（中速）に設定することが、ユーザにより入力される（Ｓ１０２０にてＹＥＳ）。表示パネル１７２に、スキャンモードが片面スキャンモードであって、原稿の厚みが普通紙であって、画質が普通画質（中速）であることが表示される（Ｓ１０３０）。
【０１２８】
タイムアウトになるまでに（Ｓ１０７０にてＮＯ）、この設定で正しいと考えるユーザが「ＯＫ」キーを押下すると（Ｓ１０５０にてＹＥＳ）、コピー可能画面が表示パネル１７２に表示される（Ｓ１０６０）。さらに、タイムアウトになるまでに（Ｓ１１００にてＮＯ）、コピーしたいと考えるユーザがスタートボタンを押下すると（Ｓ１０８０にてＹＥＳ）、短尺ジャムしきい値ＬＴＨが、片面スキャンモードであって、原稿の厚みが普通紙（普通の厚み）であって、画質が普通画質（中速）である場合のしきい値である９１．２ｍｍと算出される（Ｓ１０９０）。
【０１２９】
原稿４００が自動搬送されている途中で、原稿４００の搬送方向の長さＬが９０．０ｍｍと検出される（Ｓ１１２０）。Ｌ（＝９０．０ｍｍ）＜ＬＴＨ（９１．２ｍｍ）であるので（Ｓ１１３０にてＮＯ）、この処理は中止される（Ｓ１１５０）。このとき、原稿４００は、原稿４００を容易にかつダメージを与えることなく取出すことができる、図７（Ａ）に示す位置で停止される。
【０１３０】
＜片面スキャンモード、普通紙、低画質＞
この原稿４００を原稿トレイ２５２にセットして、スキャンモードが片面スキャンモードに、原稿の厚みが普通紙（普通の厚み）に、画質が低画質に選択された場合について説明する。
【０１３１】
自動原稿搬送装置１５３の原稿トレイ２５２にこの原稿４００がセットされると（Ｓ１０００にてＹＥＳ）、表示パネル１７２に、スキャンモード（片面／両面）、原稿の厚み（薄紙／普通紙／厚紙）、画質（高画質／普通画質／低画質）の入力画面が表示される（Ｓ１０１０）。タイムアウトになるまでに（Ｓ１０４０にてＮＯ）、スキャンモードが片面スキャンモードに、原稿の厚みが普通紙（普通の厚み）に、画質が低画質（高速）に設定することが、ユーザにより入力される（Ｓ１０２０にてＹＥＳ）。表示パネル１７２に、スキャンモードが片面スキャンモードであって、原稿の厚みが普通紙であって、画質が低画質（高速）であることが表示される（Ｓ１０３０）。
【０１３２】
タイムアウトになるまでに（Ｓ１０７０にてＮＯ）、この設定で正しいと考えるユーザが「ＯＫ」キーを押下すると（Ｓ１０５０にてＹＥＳ）、コピー可能画面が表示パネル１７２に表示される（Ｓ１０６０）。さらに、タイムアウトになるまでに（Ｓ１１００にてＮＯ）、コピーしたいと考えるユーザがスタートボタンを押下すると（Ｓ１０８０にてＹＥＳ）、短尺ジャムしきい値ＬＴＨが、片面スキャンモードであって、原稿の厚みが普通紙（普通の厚み）であって、画質が低画質（高速）である場合のしきい値である８８．４ｍｍと算出される（Ｓ１０９０）。
【０１３３】
原稿４００が自動搬送されている途中で、原稿４００の搬送方向の長さＬが９０．０ｍｍと検出される（Ｓ１１２０）。Ｌ（＝９０．０ｍｍ）≧ＬＴＨ（８８．４ｍｍ）であるので（Ｓ１１３０にてＹＥＳ）、この処理は継続される（Ｓ１１４０）。
【０１３４】
このように、高画質（低速）及び普通画質（中速）では自動搬送できなかった原稿４００であっても、低画質（高速）では自動搬送できるようになる。
【０１３５】
なお、搬送方向の長さＬが９０．０ｍｍの原稿４００を片面スキャンする場合において、画質に普通画質（中速）が要求されているときに、薄紙（しきい値ＬＴＨ＝９３．１ｍｍ）及び普通紙（しきい値ＬＴＨ＝９１．２ｍｍ）では自動搬送できないが、厚紙（しきい値ＬＴＨ＝８８．４ｍｍ）では自動搬送できるようになる。
【０１３６】
以上のようにして、本実施の形態に係る自動原稿搬送装置及びこの自動原稿搬送装置を備えた画像形成装置によると、搬送ローラを多数配置することなく、搬送条件であるスキャンモード（片面／両面）、原稿の厚み（薄紙／普通紙／厚紙）及び画質（高画質／普通画質／低画質）を適宜設定することによりしきい値を変更させる。このため、一律に搬送ローラ間の距離でしきい値が決定されており、自動搬送できるか否かを一律に判定していた場合に比べて、搬送方向長さがより短い原稿であっても自動搬送できるようになる。
【０１３７】
−第２の実施の形態−
以下、本発明の第２の実施の形態について説明する。なお、本実施の形態に係る自動原稿搬送装置及びこの自動原稿搬送装置を備えた画像形成装置は、上述した第１の実施の形態に係る自動原稿搬送装置及びこの自動原稿搬送装置を備えた画像形成装置において実行されるプログラムと一部が異なる制御構造を備えたプログラムを実行する。
【０１３８】
本実施の形態に係る自動原稿搬送装置１５３は、原稿４００が名刺であるか否かを、ユーザから入力された情報に従って判定して、名刺であると判定される場合には搬送条件を変更して、原稿４００である名刺を自動搬送できるようにする。
【０１３９】
ここで、一般的な名刺サイズについて説明する。名刺のサイズは、一般的に、欧米においては８９．０ｍｍ（搬送方向の長さＬ）×５１．０ｍｍ、国内においては４号（９１．０（搬送方向の長さＬ）ｍｍ×５５．０ｍｍ）である。このような名刺は、例えば、「片面スキャンモード、普通紙、普通画質（中速）」の設定では短尺しきい値ＬＴＨが９１．２ｍｍとなり、自動搬送できない。本実施の形態に係る自動原稿搬送装置１５３は、名刺を自動搬送する場合には、名刺読取り用として「片面スキャンモード、厚紙、低画質（高速）」に搬送条件を変更し、短尺しきい値ＬＴＨを８５．７ｍｍとして、原稿４００を自動搬送できるようにする。
【０１４０】
このような機能を実現するためにＣＰＵ３００で実行されるプログラムの制御構造について、図１２を参照して説明する。図１２は、図１１に対応する図であって、本実施の形態に係る自動原稿搬送装置１５３を制御するＣＰＵ３００で実行されるプログラムのフローチャートである。
【０１４１】
図１２を参照して、Ｓ２０００にて、ＣＰＵ３００は、表示パネル１７２に、名刺読込モード、他の読込モードの選択画面を表示する。
【０１４２】
Ｓ２０１０にて、ＣＰＵ３００は、名刺読込モードが選択されたか否かを判定する。このとき、ＣＰＵ３００は、表示パネル１７２に表示された、名刺読込モードに対応する選択キーが押下されると、名刺読込モードが選択されたと判定する。名刺読込モードが選択されたと判定されると（Ｓ２０１０にてＹＥＳ）、処理はＳ２０２０へ移される。もしそうでないと（Ｓ１０２０にてＮＯ）、この処理はＳ１０４０へ移される。
【０１４３】
Ｓ２０２０にて、ＣＰＵ３００は、表示パネル１７２にモード確認画面を表示する。このとき、自動搬送されて読込まれる原稿４００は名刺であることと、搬送条件が「片面スキャンモード、厚紙、低画質（高速）」に設定されることとが表示される。
【０１４４】
Ｓ２０３０にて、ＣＰＵ３００は、搬送条件を、「片面スキャンモード、厚紙、低画質（高速）」に設定する。このときの短尺ジャムしきい値ＬＴＨは８５．７ｍｍとなる。欧米における名刺の搬送方向の長さＬが８９．０ｍｍであって、国内における名刺の搬送方向の長さＬが９１．０ｍｍである。短尺ジャムしきい値ＬＴＨが、名刺の搬送方向長さＬよりも短くなるように、搬送条件が設定されている。したがって、短尺ジャムしきい値ＬＴＨよりも名刺の搬送方向長さＬが長いため、名刺が自動搬送できるようになる。
【０１４５】
Ｓ２０４０にて、ＣＰＵ３００は、給紙ローラ２５６を下降させて反時計回りに回転させるとともに、他の搬送ローラを原稿４００を送る方向に回転させ、自動搬送処理を実行する。
【０１４６】
以上のような構造及びフローチャートに基づく、本実施の形態に係る画像形成装置１５０における自動原稿搬送装置１５３の動作について説明する。
【０１４７】
ユーザが、原稿トレイ２５２に名刺をセットすると（Ｓ１０００にてＹＥＳ）、表示パネル１７２に名刺読込モード、他の読込モードの選択画面が表示される（Ｓ２０００）。ユーザが、名刺読込モードを選択すると（Ｓ２０１０にてＹＥＳ）、表示パネル１７２にモード確認画面が表示される（Ｓ２０２０）。
【０１４８】
ユーザが確認入力して（Ｓ１０５０にてＹＥＳ）、スタートボタンを押下すると（Ｓ１０８０にてＹＥＳ）、搬送条件が、「片面スキャンモード、厚紙、低画質（高速）」に設定される（Ｓ２０３０）。このときの短尺ジャムしきい値ＬＴＨは８５．７ｍｍとなり、名刺の搬送方向の長さＬ（８９．０ｍｍ、９１．０ｍｍ）が短尺ジャムしきい値ＬＴＨよりも長いため、自動搬送処理が実行される（Ｓ２０４０）。
【０１４９】
以上のようにして、本実施の形態に係る自動原稿搬送装置及びこの自動原稿搬送装置を備えた画像形成装置によると、原稿が名刺である場合にユーザが名刺読込モードを選択すると、搬送条件が「片面スキャンモード、厚紙、低画質（高速）」に設定される。これにより、欧米の名刺であっても国内の名刺であっても、自動搬送することができる。
【０１５０】
名刺は、片面にのみ印刷されている場合があり、又は両面に印刷されている名刺であってもユーザが必要な情報は一方の面に集約されている場合が多く（一方が日本語で他方が外国語、一方が会社情報で他方が地図等）、また、ある程度以上の厚みがある場合が多く、さらに、高画質が要求される場合も少ないので、「片面スキャンモード、厚紙、低画質（高速）」と設定しても大きな問題を生じない。
【０１５１】
−第３の実施の形態−
以下、本発明の第３の実施の形態について説明する。なお、本実施の形態に係る自動原稿搬送装置及びこの自動原稿搬送装置を備えた画像形成装置は、上述した第２の実施の形態に係る自動原稿搬送装置及びこの自動原稿搬送装置を備えた画像形成装置において実行されるプログラムと一部が異なる制御構造を備えたプログラムを実行する。
【０１５２】
本実施の形態に係る自動原稿搬送装置１５３は、原稿４００が名刺であるか否かを原稿トレイ２５２に設けられた原稿有無センサ又は／及び原稿規制ガイドの幅により判定して、名刺であると判定される場合には搬送条件を変更して、原稿４００である名刺を自動搬送できるようにする。
【０１５３】
このような機能を実現するためにＣＰＵ３００で実行されるプログラムの制御構造について、図１３を参照して説明する。図１３は、図１２に対応する図であって、本実施の形態に係る自動原稿搬送装置１５３を制御するＣＰＵ３００で実行されるプログラムのフローチャートである。
【０１５４】
図１３を参照して、Ｓ３０００にて、ＣＰＵ３００は、原稿トレイ２５２に載置された原稿の大きさを検出する。
【０１５５】
Ｓ３０１０にて、ＣＰＵ３００は、原稿の大きさに基づくと、原稿は名刺であるか否かを判定する。原稿トレイ２５２に載置された原稿は名刺であると判定されると（Ｓ３０１０にてＹＥＳ）、処理はＳ３０２０へ移される。もしそうでないと（Ｓ３０１０にてＮＯ）、この処理は終了する。
【０１５６】
Ｓ３０２０にて、ＣＰＵ３００は、表示パネル１７２に名刺読込モードの確認画面を表示する。このとき、原稿トレイ２５２にセットされている原稿４００は名刺であると自動認識されたことと、搬送条件が「片面スキャンモード、厚紙、低画質（高速）」に設定されることとが表示される。
【０１５７】
以上のような構造及びフローチャートに基づく、本実施の形態に係る画像形成装置１５０における自動原稿搬送装置１５３の動作について説明する。
【０１５８】
ユーザが、原稿トレイ２５２に名刺をセットすると（Ｓ１０００にてＹＥＳ）、原稿トレイ２５２にセットされた原稿４００の大きさが検出される（Ｓ３０００）。原稿４００は名刺であるので（Ｓ３０１０にてＹＥＳ）、表示パネル１７２に名刺読込モードの確認画面が表示される（Ｓ３０２０）。
【０１５９】
ユーザが確認入力して（Ｓ１０５０にてＹＥＳ）、スタートボタンを押下すると（Ｓ１０８０にてＹＥＳ）、搬送条件が、「片面スキャンモード、厚紙、低画質（高速）」に設定される（Ｓ２０３０）。このときの短尺ジャムしきい値ＬＴＨは８５．７ｍｍとなり、名刺の搬送方向の長さＬ（８９．０ｍｍ、９１．０ｍｍ）が短尺ジャムしきい値ＬＴＨよりも長いため、自動搬送処理が実行される（Ｓ２０４０）。
【０１６０】
以上のようにして、本実施の形態に係る自動原稿搬送装置及びこの自動原稿搬送装置を備えた画像形成装置によると、原稿トレイにセットされた原稿が名刺であることを自動的に検出した場合にユーザにより名刺を読込むことが確認されると、搬送条件を「片面スキャンモード、厚紙、低画質（高速）」に設定する。これにより、欧米の名刺であっても国内の名刺であっても、自動搬送することができる。
【０１６１】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【符号の説明】
【０１６２】
１５０  画像形成装置
１５２  画像読取装置
１５３  自動原稿搬送装置
１６６  操作装置
１７０  操作パネル
１７２  表示パネル
３００  ＣＰＵ
３０２  ＨＤＤ
３０４  Ｉ／Ｏ
３０６  ＲＯＭ
３０８  ＲＡＭ
３１０  制御部
【図１】
2010265044.tif 000003
【図２】
2010265044.tif 000004
【図３】
2010265044.tif 000005
【図４】
2010265044.tif 000006
【図５】
2010265044.tif 000007
【図６】
2010265044.tif 000008
【図７】
2010265044.tif 000009
【図８】
2010265044.tif 000010
【図９】
2010265044.tif 000011
【図１０】
2010265044.tif 000012
【図１１】
2010265044.tif 000013
【図１２】
2010265044.tif 000014
【図１３】
2010265044.tif 000015